(57)【要約】      （修正有）【課題】模倣品を正確に区別して物品情報を提供する情報提供システムを提供する。【解決手段】情報提供システム（１）は、物品に付されたタグの２次元コード（３０（４０））によって物品情報を提供する。２次元コードから物品情報のＵＲＬと物品の識別番号を読み取る読取端末（２０）と、ＵＲＬを読み取ると識別番号毎に物品情報を読取端末に提供する物品情報管理手段（１０）とを備える。読取端末では、２次元コードの読み取り時に、読み取り位置情報を物品情報管理手段に送信し、物品情報管理手段では、受信した読み取り位置情報をログ情報として識別番号毎に記憶され、読取端末にログ情報を提供する。読取端末に提供されたログ情報により、消費者は過去に物品の２次元コードが読み取られた位置情報を確認できる。一つの識別番号に対して複数の読み取り位置情報がログ情報として記憶されている場合、物品が模倣品であることがわかる。【選択図】図２
2019008620.tif 000002
【特許請求の範囲】
【請求項１】
物品に付されたタグの２次元コードによって物品情報を提供する情報提供システムであって、
該２次元コードから該物品情報のＵＲＬと物品の識別番号を読み取る読取端末と、
該ＵＲＬを読み取ると該識別番号毎に該物品情報を該読取端末に提供する物品情報管理手段とを備え、
該読取端末では、該２次元コードの読み取り時に、読み取り位置情報を該物品情報管理手段に送信し、
該物品情報管理手段では、受信した該読み取り位置情報をログ情報として該識別番号毎に記憶され、該読取端末に該ログ情報を提供することを特徴とする情報提供システム。
【発明の詳細な説明】
【技術分野】
【０００１】
本発明は、物品情報を提供する情報提供システムに関する。
【背景技術】
【０００２】
情報提供システムとして、物品に付されたタグの２次元コードを、読取端末で消費者に読み取らせて物品の情報を提供するものが一般に知られている。この情報提供システムにおいては、２次元コードからシリアルナンバーが読み取られ、この読取結果を認証サーバで認証させて模倣品対策を行っている（例えば、特許文献１参照）。物品が出荷される際に、生産者はシリアルナンバーに証明書データを付した２次元コードを物品に付けて店舗に出荷する。そして、店舗において消費者が読取端末でタグの２次元コードを読み取り、認証サーバでシリアルナンバーを認証させることにより、正規品と模倣品が区別される。
【先行技術文献】
【特許文献】
【０００３】
【特許文献１】国際公開第２０１４／２０７８９０号
【発明の概要】
【発明が解決しようとする課題】
【０００４】
しかしながら、このような模倣品対策では、デタラメなシリアルナンバーが偽造された場合には認証サーバで模倣品を区別できるが、真正タグのシリアルナンバーが完全複製された場合には認証サーバで模倣品を区別できないという問題があった。
【０００５】
本発明はかかる点に鑑みてなされたものであり、模倣品を正確に区別できる情報提供システムを提供することを目的の一つとする。
【課題を解決するための手段】
【０００６】
本発明の一態様の情報提供システムは、物品に付されたタグの２次元コードによって物品情報を提供する情報提供システムであって、２次元コードから物品情報のＵＲＬと物品の識別番号を読み取る読取端末と、ＵＲＬを読み取ると識別番号毎に物品情報を読取端末に提供する物品情報管理手段とを備え、読取端末では、２次元コードの読み取り時に、読み取り位置情報を物品情報管理手段に送信し、物品情報管理手段では、受信した読み取り位置情報をログ情報として識別番号毎に記憶され、読取端末にログ情報を提供する。
【０００７】
この構成によれば、読取端末で物品の２次元コードが読み取られた際に、２次元コードから読み取られたＵＲＬを用いて、読み取り位置情報が読取端末から物品情報管理手段に送信され、この読み取り位置情報はログ情報として識別番号毎に物品情報管理手段に記憶される。このログ情報は読取端末に提供され、消費者は読取端末においてログ情報から過去に物品の２次元コードが読み取られた位置情報を確認できる。一つの識別番号に対して複数の読み取り位置情報がログ情報として記憶されている場合、一つの識別番号に対する物品が複数の位置で販売されているのは異常であるとして、物品が模倣品であることがわかるため、模倣品の区別が可能である。
【発明の効果】
【０００８】
本発明によれば、読み取り位置情報を確認することにより、模倣品を正確に区別できる。
【図面の簡単な説明】
【０００９】
【図１】本実施の形態に係る情報提供システムの全体構成図である。
【図２】本実施の形態に係る情報提供システムを示すブロック図である。
【図３】本実施の形態に係る正規品の２次元コードの読み取り結果を示す図である。
【図４】本実施の形態に係る模倣品の２次元コードの読み取り結果を示す図である。
【図５】本実施の形態に係る情報提供システムにおいて模倣品を区別する動作の一例を示す図である。
【発明を実施するための形態】
【００１０】
以下、添付図面を参照して、本実施の形態に係る情報提供システムについて説明する。図１は、本実施の形態に係る情報提供システムの全体構成図である。図１に示すように、情報提供システム１においては、物品７０（８０）に付されたタグの２次元コード３０（４０）が、読取端末２０によって読み取られる。読み取り結果はネットワーク６０を介して読取端末２０から物品情報管理手段としてのサーバ１０に送信され、サーバ１０から読取端末２０に識別番号としてのシリアルナンバー毎に物品情報が提供される。読取端末２０に提供される物品情報により、消費者は物品７０（８０）の生産者、出荷元等の物品情報を確認することができる（図３及び図４参照）。また、サーバ１０はユーザ端末５０に接続されており、生産者はユーザ端末５０でシリアルナンバー毎に物品情報を閲覧することができる。
【００１１】
一般に、模倣品対策として、上記のシステムを用いて、２次元コードからシリアルナンバーを読み取り、この読み取り結果をサーバで認証させることが行われている。生産者はシリアルナンバーに証明書データを付したタグを物品に付けて店舗に物品を出荷し、消費者は店舗においてタグの２次元コードを読取端末で読み取ってシリアルナンバーをサーバで認証させることにより、物品が正規品か模倣品かが区別されている。シリアルナンバーがデタラメに偽造されて模倣品に付されていた場合、読取端末で２次元コードが読み取られると、照合ができない旨の応答がサーバから読取端末に送信され、消費者は物品が模倣品であることが区別される。
【００１２】
しかしながら、シリアルナンバーが完全に複製されて模倣品に付されていた場合、読取端末で２次元コードが読み取られると、サーバでの照合が可能となり、照合が成功した旨の応答が読取端末に送信される。このため、消費者は物品が模倣品であることが区別できないという問題があった。そこで、本実施の形態では、物品７０（８０）の２次元コード３０（４０）が読取端末２０で読み取られた際に、読取端末２０からサーバ１０に読み取り位置情報が送信されるようにし、この読み取り位置情報がログ情報としてサーバ１０に記憶される。消費者はサーバ１０から提供されるログ情報から過去に物品７０（８０）の２次元コード３０（４０）が読み取られた位置情報を確認することで、購入する物品が正規品７０か模倣品８０かを区別できる。
【００１３】
以下、図２を参照して、情報提供システムの構成について詳細に説明する。図２は、本実施の形態に係る情報提供システムを示すブロック図である。図３は、本実施の形態に係る正規品の２次元コードの読み取り結果を示す図である。図４は、本実施の形態に係る模倣品の２次元コードの読み取り結果を示す図である。
【００１４】
図２に示すように、情報提供システム１において、読取端末２０は、読取部２１と、通信部２３と、位置情報取得部２２とを備えている。読取端末２０としては、例えば、スマートフォン、携帯電話、及びＰＯＳ（Ｐｏｉｎｔ  Ｏｆ  Ｓａｌｅｓ）端末等が用いられる。読取部２１が物品７０（８０）（図１参照）に付された２次元コード３０（４０）をカメラで読み取ると、２次元コード３０（４０）はＵＲＬと、シリアルナンバー等の識別番号に変換される。２次元コード３０（４０）としては、ＱＲコード（登録商標）、ＤａｔａＭａｔｒｉｘ（登録商標）、ＶｅｒｉＣｏｄｅ（登録商標）等が用いられる。２次元コード３０（４０）の読取端末２０による読み取りは、消費者により物品７０（８０）が販売される店舗等で行われる。
【００１５】
読取部２１による２次元コード３０（４０）の読み取り時に、位置情報取得部２２は、ＧＰＳ（Ｇｌｏｂａｌ  Ｐｏｓｉｔｉｏｎｉｎｇ  Ｓｙｓｔｅｍ）機能によって、２次元コード３０（４０）の読み取り位置情報を取得する。位置情報取得部２２は、複数の人工衛星から発信された信号を受信し、人工衛星から読取端末２０までの電波伝播時間に電波の速度を乗じて人工衛星との距離を算出することにより、読み取り位置情報を求める。通信部２３は無線通信を行い、読取部２１により取得されたＵＲＬを用いて、ネットワーク６０を介してサーバ１０に接続する。そして、通信部２３は、位置情報取得部２２により取得された読み取り位置情報をサーバ１０に送信する。なお、位置情報取得部２２からサーバ１０に送信される位置情報としては、２次元コード３０（４０）が読み取られる店舗情報等であってもよい。
【００１６】
サーバ１０は、通信部１２と、記憶部１１とを備えている。通信部１２は、読取端末２０から送信された読み取り位置情報を受信し、記憶部１１は、この受信された読み取り位置情報をログ情報として物品７０（８０）のシリアルナンバー毎に記憶する。そして、通信部１２は、生産者、出荷元等の物品情報と共に、記憶部１１に記憶されているログ情報をシリアルナンバー毎に読取端末２０に送信する。サーバ１０は、読取端末２０によりＵＲＬを用いて接続された際に、シリアルナンバー毎に物品情報及びログ情報を読取端末２０に提供する。
【００１７】
サーバ１０の記憶部１１及び通信部１２は、各種処理を実行するプロセッサやメモリ等によって構成されている。また、読取端末２０の通信部２３、位置情報取得部２２及び読取部２１は、各種処理を実行するプロセッサやメモリ等によって構成されている。メモリは、用途に応じてＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の一つ又は複数の記憶媒体で構成されている。メモリには、各部を制御するプログラムが記憶されている。
【００１８】
このとき、読取端末２０に表示される画面２５を、図３及び図４を参照して説明する。図３及び図４に示すように、読取端末２０の画面２５には、物品情報としての生産者、シリアルナンバー、出荷元が示されると共に、シリアルナンバーに対応したログ情報（履歴）が表示される。
【００１９】
図３は、物品の出荷元が夕張、２次元コードの読み取り位置が都市Ａである場合を示している。都市Ａにおいて、消費者が読取端末２０で２次元コードを読み取ると、画面２５にログ情報として「都市Ａ」が表示される。図３では、ログ情報として、２次元コードの読み取り位置である都市Ａだけが表示されている。このように、一つのシリアルナンバーに対して、読み取り位置情報として、一つの都市だけが表示されている場合、消費者は購入する物品が真正の２次元コード３０（図１参照）に対応した正規品７０であることがわかる。また、生産者はユーザ端末５０（図１参照）でサーバ１０に記憶されるログ情報を閲覧することができ、一つのシリアルナンバーに対して複数の読み取り位置情報がサーバ１０に記憶されていないことから、模倣品８０が出回っていないことを確認できる。
【００２０】
図４は、物品の出荷元が夕張、２次元コードの読み取り位置が都市Ｉである場合を示している。都市Ｉにおいて、消費者が読取端末２０で２次元コードを読み取ると、画面２５にログ情報として「都市Ｉ」が表示される。図４では、ログ情報として、２次元コードの読み取り位置である都市Ｉと、都市Ｉよりも先に都市Ａ、Ｂ、Ｃ、Ｄ、Ｅ、Ｈ及び海外都市Ｆ、Ｇが表示されている。
【００２１】
このように、一つのシリアルナンバーに対して、読み取り位置情報として、読み取り位置である都市Ｉの他に複数の都市が表示されている場合、消費者は一つのシリアルナンバーに対する物品が複数の都市で販売されているのは異常であると判断できる。特に、一つのシリアルナンバーに対して、ログ情報が極端に多く、都市が海外等多岐に渡っているのは異常であると、消費者は判断できる。この場合、都市Ｉよりも前に、都市Ａで２次元コードが読み取られているため、正規品７０は都市Ａで販売されていた可能性が高い。よって、消費者は、都市Ｂ、Ｃ、Ｄ、Ｅ、Ｈ、Ｉ及び海外都市Ｆ、Ｇで読み取られた２次元コードは、これらの都市においてよりも前に都市Ａで読み取られた真正の２次元コード３０から複製された２次元コード４０であることが推察できる。すなわち、購入しようとしている物品は複製された２次元コード４０が付された模倣品８０であることがわかる。また、生産者は、一つのシリアルナンバーに対して海外を含む複数の読み取り位置情報がサーバ１０に記憶されていることから、複数の都市及び海外で模倣品８０が販売されていることを確認できる。
【００２２】
以上のように、読取端末２０で物品７０（８０）の２次元コード３０（４０）が読み取られた際に、読み取り位置情報が読取端末２０からサーバ１０に送信され、ログ情報としてサーバ１０に記憶される。また、サーバ１０から、物品情報としての生産者、シリアルナンバー、出荷元と共に、サーバ１０に記憶されているログ情報が読取端末２０に提供される。これにより、消費者は物品７０（８０）を店舗で購入する際に、ログ情報から過去に物品７０（８０）の２次元コード３０（４０）が読み取られた位置情報を確認することができるため、模倣品８０を購入することを防止できる。また、消費者が店舗で模倣品８０を区別できると模倣品８０を購入しなくなるため、店側は模倣品８０を仕入れないようにチェックするようになり、模倣品８０の流通が防止される。
【００２３】
次に、図５を参照して、情報提供システムにおいて模倣品を区別する動作について詳細に説明する。図５は、本実施の形態に係る情報提供システムにおいて模倣品を区別する動作の一例を示す図である。
【００２４】
店舗において消費者により、読取端末２０で物品７０（８０）（図１参照）の２次元コード３０（４０）が読み取られると（ステップ１）、２次元コード３０（４０）がＵＲＬと物品７０（８０）のシリアルナンバーとに変換される。このとき、読取端末２０で読取位置情報が取得される（ステップ２）。読取端末２０は、ＵＲＬを用いてサーバ１０に接続し、シリアルナンバーの読み取り位置情報を送信する（ステップ３）。サーバ１０は、受信した読み取り位置情報をログ情報としてシリアルナンバー毎に記憶する（ステップ４）。そして、サーバ１０は、シリアルナンバーの読み取り位置のログ情報を、読取端末２０に送信する（ステップ５）。読取端末２０は、受信したログ情報を画面２５に表示する（ステップ６）。
【００２５】
読取端末２０で２次元コード３０（４０）が読み取られた際に、読み取り位置情報が読取端末２０からサーバ１０に送信され、ログ情報としてサーバ１０に記憶されると共に、サーバ１０に記憶されているログ情報がサーバ１０から読取端末２０に提供される。一つのシリアルナンバーに対して、複数の読み取り位置が読取端末２０の画面２５に表示される場合、一つのシリアルナンバーが付された物品７０（８０）が複数の位置で販売されているのは異常であると判断でき、購入しようとする物品が模倣品８０であることが区別される。
【００２６】
以上のように、本実施の形態に係る情報提供システム１は、読取端末２０で物品７０（８０）の２次元コード３０（４０）が読み取られた際に、２次元コード３０（４０）から読み取られたＵＲＬを用いて、読み取り位置情報が読取端末２０からサーバ１０に送信され、この読み取り位置情報はログ情報としてシリアルナンバー毎にサーバ１０に記憶される。このログ情報は読取端末２０に提供され、消費者は読取端末２０においてログ情報から過去に物品７０（８０）の２次元コード３０（４０）が読み取られた位置情報を確認できる。一つのシリアルナンバーに対して複数の読み取り位置情報がログ情報として記憶されている場合、一つのシリアルナンバーに対する物品７０（８０）が複数の位置で販売されているのは異常であるとして、物品が模倣品８０であることがわかるため、模倣品８０の区別が可能である。
【００２７】
また、本発明の各実施の形態を説明したが、本発明の他の実施の形態として、上記各実施の形態を全体的又は部分的に組み合わせたものでもよい。
【００２８】
また、本発明の実施の形態は上記の各実施の形態に限定されるものではなく、本発明の技術的思想の趣旨を逸脱しない範囲において様々に変更、置換、変形されてもよい。さらには、技術の進歩又は派生する別技術によって、本発明の技術的思想を別の仕方で実現することができれば、その方法を用いて実施されてもよい。したがって、特許請求の範囲は、本発明の技術的思想の範囲内に含まれ得る全ての実施態様をカバーしている。
【００２９】
上記実施の形態においては、位置情報取得部２２は、ＧＰＳ機能によって、２次元コード３０（４０）の読み取り位置情報を取得する構成としたが、読み取り位置情報を測定できれば、他の機能を用いて読み取り位置情報を取得する構成としてもよい。
【００３０】
本実施の形態では、本発明を模倣品の区別に適用した構成について説明したが、物品の識別番号の複製を確認する構成に適用することも可能である。
【産業上の利用可能性】
【００３１】
以上説明したように、本発明は、模倣品を正確に区別できるという効果を有し、特に物品情報を提供する情報提供システムに有用である。
【符号の説明】
【００３２】
１  情報提供システム
１０  サーバ（物品情報管理手段）
２０  読取端末
３０  （真正の）２次元コード
４０  （複製された）２次元コード
７０  正規品（物品）
８０  模倣品（物品）
【図１】
2019008620.tif 000003
【図２】
2019008620.tif 000004
【図３】
2019008620.tif 000005
【図４】
2019008620.tif 000006
【図５】
2019008620.tif 000007